(57)【特許請求の範囲】
【請求項１】
第１横框材及び第２横框材と、これら第１横框材及び第２横框材の間に設けられる２本の縦框材と、からなる矩形の枠体を備え、
前記縦框材の前記第２横框材と当接する端面にダボの一端部が嵌合される縦框材ダボ穴がそれぞれ設けられ、
前記第２横框材に、前記縦框材の前記縦框材ダボ穴に対応する位置に前記ダボの他端部が嵌合される第２横框材ダボ穴が設けられ、
前記第２横框材が、前記ダボを介して前記縦框材に、この縦框材からその長手方向に離間可能に連結されてなる間仕切パネルを用いた間仕切壁の取付方法であって、
前記第１横框材を、床面及び天井面のうちの一方に固定し、
次に、前記第２横框材を、前記縦框材から離間させて床面及び天井面のうちの他方に当接して固定し、
次に、前記枠体の両面に面材を貼着することを特徴とする間仕切壁の取付方法。
【請求項２】
第１横框材及び第２横框材と、これら第１横框材及び第２横框材の間に設けられる２本の縦框材と、からなる矩形の枠体を備え、前記第２横框材が、前記縦框材に、この縦框材からその長手方向に離間可能に連結され、前記枠体の片面に第１面材が貼着されてなる間仕切パネルを用いた間仕切壁の取付方法であって、
前記第１横框材を天井面に固定し、
次に、前記第２横框材を、前記縦框材から離間させて床面に当接して固定し、
次に、前記枠体の前記第１面材が貼着されていない面に第２面材を貼着するとともに、前記第１面材の下端部に幅木を取り付けることを特徴とする間仕切壁の取付方法。
【発明の詳細な説明】
【技術分野】
【０００１】
本発明は、床面と天井面との間に設置されて間仕切壁を形成する間仕切パネルを用いた間仕切壁の取付方法に関する。
【背景技術】
【０００２】
室内空間を仕切る間仕切壁は、予めパネル化した間仕切パネルによって形成されることがある。この間仕切パネルは、その高さ寸法を室内の床面から天井面の高さに合わせて製造すると、クリアランスがないため室内空間で間仕切パネルを起こすことができず、施工後の床面及び天井面に間仕切パネルを設置することができないという問題があった。このため間仕切パネルの高さ寸法を床面から天井面までの高さよりも短くし、この間仕切パネルを、床面に設けた床ランナの溝部と天井面に設けた天井ランナの溝部とに挿入して立設させる技術が知られている（例えば、特許文献１参照）。
【特許文献１】特開２００１−３２４１９号公報
【発明の開示】
【発明が解決しようとする課題】
【０００３】
しかしながら、特許文献１に記載された方法では、間仕切パネルを取り付ける前に天井ランナ及び床ランナを設置したり、間仕切パネルと天井ランナの溝部との間に間隙が生じるため、この間隙にパッキン材等を挿入固定する必要があり、部材が増えて作業が煩雑になるという問題があった。
【０００４】
本発明の課題は、床面と天井面との間に設置されて間仕切壁を形成する間仕切パネルにおいて、取付作業を容易にすることである。
【課題を解決するための手段】
【０００５】
以上の課題を解決するため、請求項１に記載の発明は、例えば図１，２に示すように、
第１横框材３及び第２横框材４と、これら第１横框材３及び第２横框材４の間に設けられる２本の縦框材５と、からなる矩形の枠体２を備え、
前記縦框材５の前記第２横框材４と当接する端面にダボ７の一端部が嵌合される縦框材ダボ穴５ａがそれぞれ設けられ、
前記第２横框材４に、前記縦框材５の前記縦框材ダボ穴５ａに対応する位置に前記ダボ７の他端部が嵌合される第２横框材ダボ穴４ａが設けられ、
前記第２横框材４が、前記ダボ７を介して前記縦框材５にこの縦框材５からその長手方向に離間可能に連結されてなる間仕切パネル１ａを用いた間仕切壁の取付方法であって、
前記第１横框材３を、床面Ｆ及び天井面Ｃのうちの一方に固定し、
次に、前記第２横框材４を、前記縦框材５から離間させて床面Ｆ及び天井面Ｃのうちの他方に当接して固定し、
次に、前記枠体２の両面に面材８を貼着することを特徴としている。
【０００８】
請求項１に記載の発明によれば、第２横框材４は、該第２横框材４に設けられた第２横框材ダボ穴４ａと、縦框材５に設けられた縦框材ダボ穴５ａと、にダボ７の端部がそれぞれ嵌合されることによって縦框材５に連結されている。よって、第２横框材４は、ダボ７が第２横框材ダボ穴４ａ及び縦框材ダボ穴５ａから外れない範囲で、縦框材５からその長手方向に離間して移動することができる。
したがって、第１横框材３を床面Ｆ及び天井面Ｃのうちの一方に固定した後、第２横框材４を、縦框材５から離間させて床面Ｆ及び天井面Ｃのうちの他方に当接して固定し、次に、枠体２の両面に面材８を貼着すればよい。よって、間仕切パネル１ａの取付作業を容易に行うことができるとともに、間仕切パネル１ａを予め組み立てておくことによって作業効率が向上する。
【００１３】
請求項２に記載の発明は、例えば図３に示すように、第１横框材１３及び第２横框材１４と、これら第１横框材１３及び第２横框材１４の間に設けられる２本の縦框材１５と、からなる矩形の枠体１２を備え、前記第２横框材１４が、前記縦框材１５に、この縦框材１５からその長手方向に離間可能に連結され、前記枠体１２の片面に第１面材８ａが貼着されてなる間仕切パネル１１ａを用いた間仕切壁の取付方法であって、
前記第１横框材１３を天井面Ｃに固定し、
次に、前記第２横框材１４を、前記縦框材１５から離間させて床面Ｆに当接して固定し、
次に、前記枠体１２の前記第１面材８ａが貼着されていない面に第２面材８ｂを貼着するとともに、前記第１面材８ａの下端部に幅木９を取り付けることを特徴としている。
【００１４】
請求項２に記載の発明によれば、第１横框材１３を天井面Ｃに固定した後、第２横框材１４を縦框材１５から離間させて床面Ｆに当接して固定し、次に、枠体１２の第１面材８ａが貼着されていない面に第２面材８ｂを貼着するとともに、第１面材８ａの下端部に幅木９を取り付ければよい。よって、間仕切パネル１１ａの取付作業を容易に行うことができるとともに、現場において第１面材８ａを貼着する必要がないため作業効率が向上する。
【発明の効果】
【００１５】
本発明によれば、間仕切パネルの取付作業を容易に行うことができるとともに、間仕切パネルを予め組み立てておくことによって作業効率が向上する。
【発明を実施するための最良の形態】
【００１６】
以下、図を参照して本発明に係る間仕切パネル１ａの第１の実施形態を詳細に説明する。
（実施形態１）
図１，２は、床面Ｆと天井面Ｃとの間に設置されて間仕切壁１を形成する間仕切パネル１ａと、この間仕切パネル１ａを用いた間仕切壁１の取付方法を示すもので、この間仕切パネル１ａは、第１横框材３、第２横框材４、及び縦框材５からなる矩形の枠体２を備えている。
【００１７】
図１，２（ａ）に示すように、矩形の枠体２は、同じ長さの第１横框材３と第２横框材４との間に、２本の縦框材５を設けたものであり、これらの縦框材５の間には、該縦框材５に平行な補強材６が設けられている。さらに詳しくは、縦框材５と補強材６との両端面には、第１横框材３及び第２横框材４がそれぞれ当接している。
【００１８】
図１に示すように、縦框材５の第２横框材４と当接する端面には縦框材ダボ穴５ａが２つずつ設けられ、補強材６の第２横框材４と当接する端面にも補強材ダボ穴５ａが２つ設けられている。これらの縦框材ダボ穴５ａ及び補強材ダボ穴５ａには棒状の木製部材であるダボ７の一端部がそれぞれ嵌合され、ダボ７の他端部は、第２横框材４の縦框材ダボ穴５ａ及び補強材ダボ穴５ａに対応する位置にそれぞれ設けられた第２横框材ダボ穴４ａに嵌合されている。これらのダボ７は、第２横框材ダボ穴４ａと、縦框材ダボ穴５ａ又は補強材ダボ穴５ａとにそれぞれ同じ長さだけ嵌合されている。また、第２横框材４は、ダボ７を介して縦框材５及び補強材６に連結されており、第２横框材ダボ穴４ａ並びに縦框材ダボ穴５ａもしくは補強材ダボ穴５ａに嵌合されているダボ７を緩めることによってこれら縦框材５及び補強材６からその長手方向に離間可能となっている。
【００１９】
次に、以上のように構成される間仕切パネル１ａを用いた間仕切壁の取付方法について説明する。
まず、予め間仕切壁１を取り付ける床面Ｆから天井面Ｃの高さよりも短い高さ寸法の間仕切パネル１ａを組み立て、この間仕切パネル１ａを現場、すなわち室内へと搬送し、図２（ａ）に示すように、第１横框材３を床面Ｆに当接させて止着材によって固定する。
【００２０】
次に、図２（ｂ）に示すように、第２横框材４を下面から金鎚等で叩くことによって、第２横框材ダボ穴４ａ（図１参照）並びに縦框材ダボ穴５ａ（図１参照）もしくは補強材ダボ穴５ａ（図１参照）に嵌合されているダボ７を緩め、第２横框材４を縦框材５及び補強材６（図１参照）から離間させて上方に移動させ、天井面Ｃに当接させて止着材によって固定する。
このとき第２横框材４の移動距離は、ダボ７の半分の長さよりも短いことが望ましい。
なお、図２においては、ダボ７は、一端部が縦框材ダボ穴５ａ（図１参照）に嵌合された状態で第２横框材ダボ穴４ａ（図１参照）側の端部が緩められているが、縦框材ダボ穴５ａ（図１参照）側の端部が緩められてもよい。
【００２１】
次に、図２（ｃ）に示すように、枠体２の両面に、床面Ｆから天井面Ｃに達する例えば石膏ボード等の面材８を貼着する。
【００２２】
以上の第１の実施形態においては、間仕切パネル１ａは、第１横框材３及び第２横框材４と、縦框材５とからなる矩形の枠体２を備え、第２横框材４は、縦框材５からその長手方向に離間可能となっている。よって、予め床面Ｆから天井面Ｃの高さよりも短い高さ寸法の間仕切パネル１ａを組み立てておき、現場においては、第１横框材３を床面Ｆに固定した後、第２横框材４を、縦框材５から離間させて天井面Ｃに当接して固定し、次に、枠体２の両面に面材８を貼着すればよい。従って、間仕切パネル１ａの取付作業を容易に行うことができるとともに、間仕切パネル１ａを予め組み立てておくことによって作業効率が向上する。
【００２３】
また、第２横框材４は、該第２横框材４に設けられた第２横框材ダボ穴４ａと、縦框材５に設けられた縦框材ダボ穴５ａと、にダボ７の端部がそれぞれ嵌合されることによって縦框材５に連結されている。よって、第２横框材４は、ダボ７が第２横框材ダボ穴４ａ及び縦框材ダボ穴５ａから外れない範囲で、縦框材５からその長手方向に離間して移動することができる。
【００２４】
なお、以上の第１の実施形態においては、第１横框材３を床面Ｆに取り付け、第２横框材４を天井面Ｆに取り付けたが、本発明はこれに限定されるものではなく、第１横框材３を天井面Ｆに取り付け、第２横框材４を床面Ｆに取り付けてもよい。
また、間仕切パネル１ａを複数枚隣接させて間仕切壁１を形成してもよい。
【００２５】
（実施形態２）
次に、図を参照して本発明に係る間仕切パネル１１ａの第２の実施形態を詳細に説明する。
図３は、床面Ｆと天井面Ｃとの間に設置されて間仕切壁１１を形成する間仕切パネル１１ａと、この間仕切パネル１１ａを用いた間仕切壁１１の取付方法を示すもので、この間仕切パネル１１ａは、第１横框材１３、第２横框材１４、及び縦框材（図１参照）からなる矩形の枠体１２と、第１面材８ａと、を備えている。
【００２６】
図３に示すように、矩形の枠体１２の片面には例えば石膏ボード等の第１面材８ａが設けられている。また、枠体１２の構成については第１の実施形態と同様であるため、その説明は省略する。
【００２７】
次に、以上のように構成される間仕切パネル１１ａを用いた間仕切壁の取付方法について説明する。
まず、予め間仕切壁１１を取り付ける床面Ｆから天井面Ｃの高さよりも短い高さ寸法の枠体１２を組み立て、この枠体１２の片面に第１面材８ａを貼着して間仕切パネル１１ａを形成する。そして、この間仕切パネル１１ａを現場、すなわち室内へと搬送し、図３（ａ）に示すように、第１横框材１３を天井面Ｃに当接させて止着材によって固定する。
【００２８】
次に、図３（ｂ）に示すように、第２横框材１４を上面から金鎚等で叩くことによって、第２横框材ダボ穴（図１参照）並びに縦框材ダボ穴（図１参照）もしくは補強材ダボ穴（図１参照）に嵌合されているダボ１７を緩め、第２横框材１４を縦框材（図１参照）及び補強材（図１参照）から離間させて下方に移動させ、床面Ｆに当接させて止着材によって固定する。このとき、第１面材８ａは、天井面Ｃには当接しているが床面Ｆからは第２横框材１４の移動距離だけ離間している。
また、第２横框材１４の移動距離は、ダボ１７の半分の長さよりも短いことが望ましい。
なお、図３においては、ダボ１７は、一端部が縦框材ダボ穴（図１参照）に嵌合された状態で第２横框材ダボ穴（図１参照）側の端部が緩められているが、縦框材ダボ穴（図１参照）側の端部が緩められてもよい。
【００２９】
次に、図３（ｃ）に示すように、枠体１２の第１面材８ａが貼着されていない側に例えば石膏ボード等の第２面材８ｂを貼着するとともに、第１面材８ａの下端部に床面Ｆと当接する幅木９を取り付ける。
【００３０】
以上の第２の実施形態によれば、枠体１２の片面には第１面材８ａが貼着されている。よって、枠体１２の片面に第１面材８ａが貼着された間仕切パネル１１ａを予め組み立てておき、現場においては、第１横框材１３を天井面Ｃに固定した後、第２横框材１４を縦框材１５から離間させて床面Ｆに当接して固定し、次に、枠体１２の第１面材８ａが貼着されていない面に第２面材８ｂを貼着するとともに、第１面材８ａの下端部に幅木９を取り付ければよい。従って、間仕切パネル１１ａの取付作業を容易に行うことができるとともに、現場において第１面材８ａを貼着する必要がないため作業効率が向上する。
【００３１】
また、第２横框材１４は、該第２横框材１４に設けられた第２横框材ダボ穴（図１参照）と、縦框材１５に設けられた縦框材ダボ穴（図１参照）と、にダボ１７の端部がそれぞれ嵌合されることによって縦框材１５に連結されている。よって、第２横框材１４は、ダボ１７が第２横框材ダボ穴（図１参照）及び縦框材ダボ穴（図１参照）から外れない範囲で、縦框材１５からその長手方向に離間して移動することができる。
【００３２】
なお、以上の第２の実施形態においては、第１横框材１３を天井面Ｃに取り付け、第２横框材１４を床面Ｆに取り付けたが、本発明はこれに限定されるものではなく、第１横框材１３を床面Ｆに取り付け、第２横框材１４を天井面Ｃに取り付けてもよい。
また、間仕切パネル１１ａを複数枚隣接させて間仕切壁１１を形成してもよい。
【図面の簡単な説明】
【００３３】
【図１】本発明に係る間仕切パネルの分解斜視図である。
【図２】本発明に係る間仕切壁の取付方法の第１の実施形態を示すもので、（ａ）が間仕切パネルの第１横框材を床面に設置したときの断面図、（ｂ）が第２横框材を天井面に当接させたときの断面図、（ｃ）が間仕切パネルに面材を貼着したときの断面図である。
【図３】本発明に係る間仕切壁の取付方法の第２の実施形態を示すもので、（ａ）が間仕切パネルの第１横框材を天井面に取り付けたときの断面図、（ｂ）が第２横框材を床面に当接させたときの断面図、（ｃ）が間仕切パネルに幅木及び第２面材を貼着したときの断面図である。
【符号の説明】
【００３４】
１，１１  間仕切壁
１ａ，１１ａ  間仕切パネル
２，１２  枠体
３，１３  第１横框材
４，１４  第２横框材
４ａ  第２横框材ダボ穴
５，１５  縦框材
５ａ  縦框材ダボ穴
６  補強材
６ａ  補強材ダボ穴
７，１７  ダボ
８  面材
８ａ  第１面材
８ｂ  第２面材
９  幅木
Ｆ  床面
Ｃ  天井面
【図１】
0004568181.tif 000002
【図２】
0004568181.tif 000003
【図３】
0004568181.tif 000004